(57)【要約】 【課題】  本発明は、ポップアップ冊子（飛び出す絵本）についての製作工程において、帳合ミスを防止するために、表紙に窓を設け、特定の色を有する各頁の見出し用タブを表紙の窓から視認し、窓脇の基準色と比較して色の順序を確認することができるようにする帳合ミスの防止法に関するものである。 【解決手段】  特定の色彩を有する各ページの見出し用タブを表紙の窓部ｆから視認し、前記表紙の窓部脇に帳合の基準となる色見本部を設け、見出し用タブの色彩と順番とを確認する帳合ミス防止法である。【選択図】    図４
2018069596.tif 000002
【特許請求の範囲】
【請求項１】
特定の色彩を有する各ページの見出し用タブを表紙の窓部から視認し、前記表紙の窓部脇に帳合の基準となる色見本部を設け、見出し用タブの色彩と順番とを確認することを特徴とする帳合ミス防止法。
【発明の詳細な説明】
【技術分野】
【０００１】
本発明は、ポップアップ冊子（飛び出す絵本）についての製作工程において、帳合ミスを防止するために、表紙に窓を設け、特定の色を有する各頁の見出し用タブを表紙の窓から視認し、窓脇の基準色と比較して色の順序を確認することができるようにする帳合ミスの防止法に関するものである。
【背景技術】
【０００２】
本発明は、第１に特定の色を有する各頁の見出し用タブを表紙の窓から確認できるものであり、第２に前記表紙窓の脇部に帳合の基準となる色見本が設けられ、見出し用タブの色と順番を確認することができるものであるところ、関係がありそうな公知文献としては、次の４つの特許文献が見出された。
【先行技術文献】
【特許文献】
【０００３】
【特許文献１】特開昭５８−２２２５７号公報
【特許文献２】特開平５−２８６２８２号公報
【特許文献３】特開２０１１−９８４７６公報
【特許文献４】特許４２４９３０５号公報
【０００４】
特許文献１は、裁ち線より外側部分に位置及び又は色の種類が異なる印刷マークを設け、その反射光を受光素子で検出し乱丁を防止するが、基準となる色見本の記載はない。
【０００５】
特許文献２は、第１折（複数頁）〜第１０折（複数頁）を表示する識別色を小口等に付し、目視により乱丁を発見できるが、基準となる色見本の記載はない。
【０００６】
特許文献３は、各単位帳票の裁断領域を切り残して設けた識別マークがあり、各切り残し部の位置は異なっているから、単位帳票順序が確認できるが、確認は撮像装置で行われる。
【０００７】
特許文献４は、表紙部には各種別マークが印刷され、各頁側面部に識別マークが印刷される。種別マークと識別マークは光学的読取手段が読み取られ、比較される。マークの形状と色彩はどのようなものでもよいとしている。種別マークと識別マークは裁断線外側に印刷されているから、製本時には除去される。
【発明の概要】
【発明が解決しようとする課題】
【０００８】
しかしながら、これらの公知文献には、特定の色を有する各頁の見出し用タブを表紙窓から確認することができ前記表紙窓の脇に帳合の基準となる色見本部を設けて、見出し用タブの色と順番を確認することができる方法に関するものは存しなかったことから、本発明はそのような機能を有する物品を提供することにより、帳合ミスを防止することを目的とするものである。
【課題を解決するための手段】
【０００９】
本発明は、特定の色彩を有する各ページの見出し用タブを表紙の窓部から視認し、前記表紙の窓部脇に帳合の基準となる色見本部を設け、見出し用タブの色彩と順番とを確認する帳合ミス防止法である。
【発明の効果】
【００１０】
本発明は、特定の色彩を有する中紙材のページ部を必要数用意することによって、ポップアップ冊子における製造作業で帳合ミスを防止することができるのである。
【００１１】
５折から１０折程度のカシメを用いた冊子の製本時は、工場においても内職作業場においても、その折りの帳合の順序や欠落や重複などの誤りを防止することができるのである。
【００１２】
カシメを用いて冊子の綴じ込み作業を行う時は、カラーパターンの印刷内容と色窓から見える印刷内容が同一であることを瞬時に判断できるから、ページ順を誤ったりページを欠落したりすることを未然に防止することができるのである。
【図面の簡単な説明】
【００１３】
【図１】冊子全体の背面図
【図２】図１要部の拡大背面図
【図３】図２要部の拡大図
【図４】冊子製本時の全体の平面略図
【図５】（Ａ）は表紙材Ａの外面部の斜視図、（Ｂ）は表紙材Ａの内面部の斜視図
【図６】（Ａ）は中紙材Ｂの外面部の斜視図、（Ｂ）は中紙材Ｂの内面部の斜視図
【図７】透明フィルム材Ｃの斜視図
【図８】（Ａ）は中紙材Ｄの外面部の斜視図、（Ｂ）は中紙材Ｄの内面部の斜視図
【図９】中紙材Ｅの斜視図
【図１０】中紙材Ｆの斜視図
【図１１】中紙材Ｇの斜視図
【図１２】透明フィルム材Ｈの斜視図
【発明を実施するための形態】
【００１４】
本冊子の全体を構成する配置順序としては、まず、中央部分に３つの中紙材Ｅ，Ｆ，Ｇを各ページ部に飛び出す部材を設けて配置する。
【００１５】
次に、この中央部材の中紙材Ｅ，Ｆ，Ｇの外側部に隣接して中紙材Ｄ，Ｄを配置する。
【００１６】
さらに、中紙材Ｄ，Ｄに隣接してそれぞれ透明フィルム材Ｃ，Ｈを配置する。
【００１７】
最後に、２つの折半表紙材Ａ，Ａ，Ｂ，Ｂを、前記各部材を包囲するようにして配置する。
【００１８】
以上の配置が終わった後に、前記部材等のページ部に設けた通孔にかしめ鋲子を装着して綴じるようにする。
【実施例】
【００１９】
本発明は、図４に示した冊子の製本時の平面略図に見られるように、第１に、例えば寸法Ｂ４の表紙材をその中央部で折半して表紙材Ａ，Ａとし、その表紙部の裏側の綴り部の中央部には細縦長の窓部ｆを設ける。
【００２０】
第２に、寸法Ｂ４の紙材を中央部で折半して中紙材Ｂ，Ｂとし、その左右両側部にそれぞれ中紙材のページ部を構成し、これらを前記表紙材Ａ，Ａに隣接する内側部に配置する。
【００２１】
第３に、寸法Ｂ４の透明フィルム材各１枚を前記中紙材Ｂ，Ｂのページ部に隣接する内側部にそれぞれ透明フィルム材Ｃ，Ｈ配置する。この透明フィルム材には隣接するページ部に表現している絵画と関係する絵が表現されていて、絵画が透明体を通して一体化するようになる。
【００２２】
第４に、寸法Ｂ４の紙材を中央部で折半して中紙材Ｄ，Ｄとし、その左右両側部にそれぞれページ部を構成し、これを前記フィルム材Ｃ，Ｈに隣接する内側部に配置する。
【００２３】
第５に、寸法Ｂ４の紙材を中央部で折半して中紙材Ｅとの間に、開口時に立体的に飛び出すページ部を構成し、これを前記中紙材Ｄに隣接する内側部に飛び出すページ部として配置する。
【００２４】
第６に、寸法Ｂ４の紙材をその中央部で折半した中紙材Ｆとの間に、開口時に立体的に立ち上がるようになるページ部を構成し、これを前記中紙材Ｅのページ部に隣接する内側部にページ部として配置する。
【００２５】
第７に、寸法Ｂ４の紙材をその中央部で折半した中紙材Ｇとの間に、開口時に立体的に立ち上がるようになるページ部を構成し、これを前記中紙材Ｆのページ部に隣接する内側部にページ部として配置する。
【００２６】
以上の構成で明らかなように、本冊子Ｙは、中央部分に位置する３つの中紙材Ｅ，Ｆ，Ｇのページ部は、その外側部において被套した表紙材Ａ，Ａと中紙材Ｂ，Ｂと２つの透明フィルム材Ｃ，Ｈと１つの中紙材Ｄ，Ｄの各ページ部によって包囲された状態にある。（図４参照）
【００２７】
ａ，ａはかしめ孔、ｂ、ｂは折れ線部、ｃはページ番号、ｄ１，ｄ４は表紙，ｅ１は色窓、ｆは裏表紙材の一部に設けた窓部、ｅ１，ｅ，２，ｅ３，ｅ４，ｅ５，ｅ６，ｅ７は各頁の色窓、ｇ１は見出し用タブ印刷（赤色）、ｇ２は見出し用タブ印刷（橙色）、ｇ３は見出し用タブ印刷（黄色）、ｇ４は見出し用タブ印刷（緑色）、ｇ５は見出し用タブ印刷（青色）、ｇ６は見出し用タブ印刷（紫色）を示す。
【００２８】
ｘはカシメ用鋲子で、この鋲子は前記表紙材、フィルム材及び中紙材の各ページ部Ａ，Ｂ，Ｄ，Ｅ，Ｆ，Ｇ及び透明フィルム材Ｃ，Ｈの各折れ線部ｂ，ｂの内側部に設けたかしめ孔ａ，ａを貫通して固着するようになる。
【符号の説明】
【００２９】
Ａ，Ａ                        表紙材
Ｂ，Ｂ                        中紙材
Ｃ                            透明フィルム材
Ｄ，Ｄ                        中紙材
Ｅ                            中紙材
Ｆ                            中紙材
Ｇ                            中紙材
Ｈ                            透明フィルム材
ａ，ａ                        かしめ孔
ｂ，ｂ                        折れ線部
ｃ                            ページ番号
ｄ１，ｄ４                    表紙
ｅ１                          色窓
ｆ                            窓部
ｇ１                          見出し用タブ印刷（赤色）
ｇ２                          見出し用タブ印刷（橙色）
ｇ３                          見出し用タブ印刷（黄色）
ｇ４                          見出し用タブ印刷（緑色）
ｇ５                          見出し用タブ印刷（青色）
ｇ６                          見出し用タブ印刷（茶色）
ｘ                            カシメ用鋲子
Ｙ                            冊子
【図１】
2018069596.tif 000003
【図２】
2018069596.tif 000004
【図３】
2018069596.tif 000005
【図４】
2018069596.tif 000006
【図５】
2018069596.tif 000007
【図６】
2018069596.tif 000008
【図７】
2018069596.tif 000009
【図８】
2018069596.tif 000010
【図９】
2018069596.tif 000011
【図１０】
2018069596.tif 000012
【図１１】
2018069596.tif 000013
【図１２】
2018069596.tif 000014